Podtech/llm-jp-corpus-v4-ja_patent huggingface dataset:
【手続補正書】
【提出日】平成30年11月2日(2018.11.2)
【手続補正１】
【補正対象書類名】特許請求の範囲
【補正対象項目名】全文
【補正方法】変更
【補正の内容】
【特許請求の範囲】
【請求項１】
薬学的に有効な量の、（ａ）クロファジミン、（ｂ）エタンブトール、（ｃ）ピラジナミド、および（ｄ）プロチオナミドまたはベダキリンの組合せから本質的になる、医薬組成物。
【請求項２】
薬学的に有効な量の、（ａ）クロファジミン、（ｂ）エタンブトール、（ｃ）ピラジナミド、および（ｄ）ベダキリンの組合せを含む、医薬組成物。
【請求項３】
前記組合せが、（ａ）クロファジミン、（ｂ）エタンブトール、（ｃ）ピラジナミド、および（ｄ）プロチオナミドから本質的になる、請求項１に記載の医薬組成物。
【請求項４】
結核の処置を必要としている対象の結核を処置するための、（ａ）クロファジミン、（ｂ）エタンブトール、（ｃ）ピラジナミド、および（ｄ）プロチオナミドまたはベダキリンから本質的になる薬物の組合せ、または薬学的に有効な量の、（ａ）クロファジミン、（ｂ）エタンブトール、（ｃ）ピラジナミド、および（ｄ）ベダキリンの薬物の組合せ。
【請求項５】
前記組合せの（ａ）〜（ｄ）の１つまたは複数が、逐次的に投与される、請求項４に記載の薬物の組合せ。
【請求項６】
（ａ）〜（ｄ）の１つまたは複数が、同時に投与される、請求項４に記載の薬物の組合せ。
【請求項７】
前記対象が、哺乳動物である、請求項４に記載の薬物の組合せ。
【請求項８】
前記哺乳動物が、ヒトである、請求項７に記載の薬物の組合せ。
【請求項９】
前記組合せが、（ａ）クロファジミン、（ｂ）エタンブトール、（ｃ）ピラジナミド、および（ｄ）ベダキリンからなる、請求項４に記載の薬物の組合せ。
【請求項１０】
前記組合せが、（ａ）クロファジミン、（ｂ）エタンブトール、（ｃ）ピラジナミド、および（ｄ）プロチオナミドからなる、請求項４に記載の薬物の組合せ。
【請求項１１】
前記結核が、Ｍｙｃｏｂａｃｔｅｒｉｕｍ  ｔｕｂｅｒｃｕｌｏｓｉｓによって引き起こされる、請求項４に記載の薬物の組合せ。
【請求項１２】
前記結核が、多剤耐性ＴＢである、請求項４に記載の薬物の組合せ。
【請求項１３】
前記結核が、広範囲薬物耐性ＴＢである、請求項４に記載の薬物の組合せ。
【請求項１４】
前記結核が、潜伏ＴＢである、請求項４に記載の薬物の組合せ。
【請求項１５】
前記組成物が、単一の経口投与形態に製剤化されている、請求項１に記載の医薬組成物。
【請求項１６】
前記単一の経口投与形態が、錠剤、ゼラチンカプセル剤、丸剤、トローチ剤、エリキシル剤または懸濁剤である、請求項１５に記載の薬物の医薬組成物。
【請求項１７】
前記組合せが、単一の経口投与形態に製剤化されている、請求項４に記載の薬物の組合せ。
【手続補正２】
【補正対象書類名】明細書
【補正対象項目名】０００５
【補正方法】変更
【補正の内容】
【０００５】
本開示の他の態様は、それを必要としている対象の結核を処置する方法であって、その患者に、治療有効量の、（ａ）クロファジミン、（ｂ）エタンブトール、（ｃ）ピラジナミド、および（ｄ）プロチオナミドまたはベダキリンを含む薬物の組合せを投与するステップを含むか、またはそのステップから本質的になるか、またはそのステップからその上さらになる方法を含む。一部の実施形態では、組合せは、（ａ）クロファジミン、（ｂ）エタンブトール、（ｃ）ピラジナミド、および（ｄ）ベダキリンを含むか、またはそれらから本質的になるか、またはそれらからその上さらになる。この方法の他の実施形態では、組合せは、（ａ）クロファジミン、（ｂ）エタンブトール、（ｃ）ピラジナミド、および（ｄ）プロチオナミドを含むか、またはそれらから本質的になるか、またはそれらからその上さらになる。一部の実施形態では、組合せの（ａ）〜（ｄ）の１つまたは複数は、逐次的に投与される。他の実施形態は、（ａ）〜（ｄ）の１つまたは複数が同時に投与されることを含む。一部の実施形態では、対象は、哺乳動物、例えばヒトである。一部の実施形態では、薬物の組合せは、（ａ）クロファジミン、（ｂ）エタンブトール、（ｃ）ピラジナミド、および（ｄ）プロチオナミドまたはベダキリンからなる。他の実施形態では、組合せは、（ａ）クロファジミン、（ｂ）エタンブトール、（ｃ）ピラジナミド、および（ｄ）ベダキリンからなる。他の実施形態では、組合せは、（ａ）クロファジミン、（ｂ）エタンブトール、（ｃ）ピラジナミド、および（ｄ）プロチオナミドからなる。一部の実施形態では、結核は、Ｍｙｃｏｂａｃｔｅｒｉｕｍ  ｔｕｂｅｒｃｕｌｏｓｉｓによって引き起こされる。一部の実施形態では、結核は、多剤耐性ＴＢである。一部の実施形態では、結核は、広範囲薬物耐性ＴＢである。
特定の実施形態では、例えば、以下が提供される：
（項目１）
薬学的に有効な量の、（ａ）クロファジミン、（ｂ）エタンブトール、（ｃ）ピラジナミド、および（ｄ）プロチオナミドまたはベダキリンの組合せを含む、医薬組成物。
（項目２）
前記組合せが、（ａ）クロファジミン、（ｂ）エタンブトール、（ｃ）ピラジナミド、および（ｄ）ベダキリンである、項目１に記載の医薬組成物。
（項目３）
前記組合せが、（ａ）クロファジミン、（ｂ）エタンブトール、（ｃ）ピラジナミド、および（ｄ）プロチオナミドである、項目１に記載の医薬組成物。
（項目４）
それを必要としている対象の結核を処置する方法であって、前記患者に、治療有効量の、（ａ）クロファジミン、（ｂ）エタンブトール、（ｃ）ピラジナミド、および（ｄ）プロチオナミドまたはベダキリンを含む薬物の組合せを投与するステップを含む、方法。
（項目５）
前記組合せが、（ａ）クロファジミン、（ｂ）エタンブトール、（ｃ）ピラジナミド、および（ｄ）ベダキリンを含む、項目４に記載の方法。
（項目６）
前記組合せが、（ａ）クロファジミン、（ｂ）エタンブトール、（ｃ）ピラジナミド、および（ｄ）プロチオナミドを含む、項目４に記載の方法。
（項目７）
前記組合せの（ａ）〜（ｄ）の１つまたは複数が、逐次的に投与される、項目４に記載の方法。
（項目８）
（ａ）〜（ｄ）の１つまたは複数が、同時に投与される、項目４に記載の方法。
（項目９）
前記対象が、哺乳動物である、項目４に記載の方法。
（項目１０）
前記哺乳動物が、ヒトである、項目９に記載の方法。
（項目１１）
前記薬物の組合せが、（ａ）クロファジミン、（ｂ）エタンブトール、（ｃ）ピラジナミド、および（ｄ）プロチオナミドまたはベダキリンからなる、項目４に記載の方法。
（項目１２）
前記組合せが、（ａ）クロファジミン、（ｂ）エタンブトール、（ｃ）ピラジナミド、および（ｄ）ベダキリンからなる、項目１１に記載の方法。
（項目１３）
前記組合せが、（ａ）クロファジミン、（ｂ）エタンブトール、（ｃ）ピラジナミド、および（ｄ）プロチオナミドからなる、項目１１に記載の方法。
（項目１４）
前記結核が、Ｍｙｃｏｂａｃｔｅｒｉｕｍ  ｔｕｂｅｒｃｕｌｏｓｉｓによって引き起こされる、項目４に記載の方法。
（項目１５）
前記結核が、多剤耐性ＴＢである、項目４に記載の方法。
（項目１６）
前記結核が、広範囲薬物耐性ＴＢである、項目４に記載の方法。
【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
ヒト被験体において歩行を改善するための組成物であって、該組成物は、（ｉ）２２０ｍｇ〜６００ｍｇの、アマンタジンおよびその薬学的に許容され得る塩からなる群から選択される薬物、ならびに（ｉｉ）少なくとも１種の賦形剤を含み、該被験体に毎日１回経口投与されることを特徴とする、組成物。
【請求項２】
ヒト被験体において運動低下性運動障害を処置するための組成物であって、該組成物は、（ｉ）２２０ｍｇ〜６００ｍｇの、アマンタジンおよびその薬学的に許容され得る塩からなる群から選択される薬物、ならびに（ｉｉ）少なくとも１種の賦形剤を含み、該被験体に毎日１回経口投与されることを特徴とする、組成物。
【請求項３】
前記ヒト被験体が、多発性硬化症を有する、請求項１または２のいずれか一項に記載の組成物。
【請求項４】
前記ヒト被験体が、脳卒中を経験した、請求項１または２のいずれか一項に記載の組成物。
【請求項５】
４−アミノピリジン、バクロフェン、デキストロメトルファン、フマル酸ジメチル、フィンゴリモド、メチルフェニデート、およびテリフルノミド、テトラベナジン、およびチザニジンからなる群から選択される１種もしくは複数種の薬物をさらに含む、請求項１から４のいずれか一項に記載の組成物。
【請求項６】
少なくとも１種の賦形剤が、放出改変賦形剤である、請求項１から５のいずれか一項に記載の組成物。
【請求項７】
前記賦形剤の少なくとも１つが、前記アマンタジンもしくはその薬学的に許容され得る塩の放出を改変して、持続放出形態を提供し、前記組成物の投与が、単回用量ヒト薬物動態学的研究において測定した場合の、ａ）アマンタジンについて５〜１８時間のＴｍａｘ、ｂ）１ｍｇのアマンタジン当たり１．０〜２．８ｎｇ／ｍｌのＣｍａｘ、およびｃ）１ｍｇのアマンタジン当たり４０〜７５ｎｇ＊ｈｒ／ｍｌのＡＵＣ０−ｉｎｆを与える、請求項１から５のいずれか一項に記載の組成物。
【請求項８】
前記薬物が、持続放出形態で提供される、請求項５に記載の組成物。
【請求項９】
前記組成物は朝に投与されることを特徴とし、前記組成物は、単回用量、絶食時、ヒト薬物動態学的研究から決定した場合の、５〜９時間のＴｍａｘの中央値を与える、請求項１または２のいずれか一項に記載の組成物。
【請求項１０】
前記組成物は就寝時刻の０〜４時間前に投与されることを特徴とし、前記組成物は、単回用量、絶食時、ヒト薬物動態学的研究から決定した場合の、１０〜１８時間のＴｍａｘの中央値を与える、請求項１または２のいずれか一項に記載の組成物。
【請求項１１】
前記組成物の毎日１回投与が、１．１〜２．０の定常状態の日中の平均血漿濃度／夜間の平均血漿濃度比を与える、請求項１または２のいずれか一項に記載の組成物。
【請求項１２】
定常状態のＣｍａｘ／Ｃｍｉｎ比が、１．３〜３である、請求項９に記載の組成物。
【請求項１３】
定常状態のＣｍａｘ／Ｃｍｉｎ比が、１．３〜３である、請求項１０に記載の組成物。
【請求項１４】
１００ｍｇ〜１７５ｍｇのアマンタジンまたはその薬学的に許容され得る塩をそれぞれ含む２単位投薬形態として投与される、請求項１または２に記載の組成物。
【手続補正２】
【補正対象書類名】明細書
【補正対象項目名】００７５
【補正方法】変更
【補正の内容】
【００７５】
本明細書に記載の一部の実施形態は、患者におけるＣＧＩを改善する方法を提供し、この方法は２６０〜４２０ｍｇのアマンタジンまたはその薬学的に許容され得る塩、および少なくとも１種の放出改変賦形剤を含む組成物を毎晩１回、就寝時刻の０〜４時間前に前記患者に投与することを含む。一部のそのような実施形態では、方法は、本明細書に記載の障害または状態の処置のためのものであり得る。一部の実施形態では、組成物は、２６０〜３４０ｍｇのアマンタジンまたはその薬学的に許容され得る塩を含む。一部の実施形態では、組成物は、２６０ｍｇのアマンタジンまたはその薬学的に許容され得る塩を含む。一部の実施形態では、組成物は、３４０ｍｇのアマンタジンまたはその薬学的に許容され得る塩を含む。一部の実施形態では、ＣＧＩの変化は、プラセボ対照の二重盲検臨床研究において決定される。
本発明の実施形態において、例えば以下の項目が提供される。
（項目１）
ヒト被験体において歩行を改善する方法であって、該被験体に毎日１回、（ｉ）２２０ｍｇ〜６００ｍｇの、アマンタジンおよびその薬学的に許容され得る塩からなる群から選択される薬物、ならびに（ｉｉ）少なくとも１種の賦形剤を含む用量を経口投与することを含む、方法。
（項目２）
ヒト被験体において運動低下性運動障害を処置する方法であって、該被験体に毎日１回、（ｉ）２２０ｍｇ〜６００ｍｇの、アマンタジンおよびその薬学的に許容され得る塩からなる群から選択される薬物、ならびに（ｉｉ）少なくとも１種の賦形剤を含む用量を経口投与することを含む、方法。
（項目３）
前記ヒト被験体が、多発性硬化症を有する、項目１または２のいずれか一項に記載の方法。
（項目４）
前記ヒト被験体が、脳卒中を経験した、項目１または２のいずれか一項に記載の方法。
（項目５）
前記用量が、４−アミノピリジン、バクロフェン、デキストロメトルファン、フマル酸ジメチル、フィンゴリモド、メチルフェニデート、およびテリフルノミド、テトラベナジン、およびチザニジンからなる群から選択される１種もしくは複数種の薬物をさらに含む、項目１から４のいずれか一項に記載の方法。
（項目６）
少なくとも１種の賦形剤が、放出改変賦形剤である、項目１から５のいずれか一項に記載の方法。
（項目７）
前記賦形剤の少なくとも１つが、前記アマンタジンもしくはその薬学的に許容され得る塩の放出を改変して、持続放出形態を提供し、前記用量の投与が、単回用量ヒト薬物動態学的研究において測定した場合の、ａ）アマンタジンについて５〜１８時間のＴｍａｘ、ｂ）１ｍｇのアマンタジン当たり１．０〜２．８ｎｇ／ｍｌのＣｍａｘ、およびｃ）１ｍｇのアマンタジン当たり４０〜７５ｎｇ＊ｈｒ／ｍｌのＡＵＣ０−ｉｎｆを与える、項目１から５のいずれか一項に記載の方法。
（項目８）
前記薬物が、持続放出形態で提供される、項目５に記載の方法。
（項目９）
前記用量が、朝に投与され、組成物が、単回用量、絶食時、ヒト薬物動態学的研究から決定した場合の、５〜９時間のＴｍａｘの中央値を与える、項目１または２のいずれか一項に記載の方法。
（項目１０）
前記用量が、就寝時刻の０〜４時間前に投与され、組成物が、単回用量、絶食時、ヒト薬物動態学的研究から決定した場合の、１０〜１８時間のＴｍａｘの中央値を与える、項目１または２のいずれか一項に記載の方法。
（項目１１）
前記用量の毎日１回投与が、１．１〜２．０の定常状態の日中の平均血漿濃度／夜間の平均血漿濃度比を与える、項目１または２のいずれか一項に記載の方法。
（項目１２）
定常状態のＣｍａｘ／Ｃｍｉｎ比が、１．３〜３である、項目９に記載の方法。
（項目１３）
定常状態のＣｍａｘ／Ｃｍｉｎ比が、１．３〜３である、項目１０に記載の方法。
【手続補正書】
【提出日】平成30年10月18日(2018.10.18)
【手続補正１】
【補正対象書類名】特許請求の範囲
【補正対象項目名】全文
【補正方法】変更
【補正の内容】
【特許請求の範囲】
【請求項１】
眼への局所適用による眼障害の治療に使用するための、２％ｗ／ｖ未満の濃度のマクロライド免疫抑制剤及び１〜５０ｋＤａの範囲の分子量を有する両親媒性炭水化物化合物を含む水性組成物であって、
両親媒性炭水化物化合物が、組成物に対して１０％ｗ／ｖ未満の濃度で存在し、且つ一般式：
【化１】
2017533228.tif 000001
［式中、
ａ＋ｂ＋ｃ＋ｄ＝１．０００であり、
ａは、０．００〜０．８４であり、
ｂは、０．０１〜０．４０であり、
ｃは、０．００〜０．８４であり、
ｄは、０．０５〜０．５０であり；
Ｘは、疎水基であり；
Ｒ１、Ｒ２及びＲ３は、独立して、置換又は無置換のアルキル基から選ばれ；
Ｒ４、Ｒ５、Ｒ６及びＲ１０は、独立して、水素、置換又は無置換のアルキル基、置換又は無置換のエーテル基、又は置換又は無置換のアルケン基から選ばれ；
Ｒ７は、存在していても、或いは存在していなくてもよく、存在する場合、無置換又は置換されたアルキル基、無置換又は置換されたアミン基又は置換又は無置換のアミド基であり；
Ｒ８及びＲ９は、独立して、水素、及び置換又は無置換のアルキル基、置換又は無置換のエーテル基、又は置換又は無置換のアルケン基のいずれかから選ばれる。］
で表されるもの又はその塩である、水性組成物。
【請求項２】
薬剤が、シロリムス、シクロスポリンＡ、タクロリムス及びエベロリムスから選ばれ、好ましくは、シクロスポリンＡである請求項１に記載の組成物。
【請求項３】
脂質を含まない請求項１又は２に記載の組成物。
【請求項４】
眼球乾燥症候群（ＤＥＳ）、春季角結膜炎（ＶＫＣ）、湿疹、アトピー性角結膜炎（ＡＫＣ）、シェーグレン症候群、屈折矯正手術術後、角膜移植又はコンタクトレンズ不耐症の治療に用いるための請求項１〜３の何れか一項に記載の組成物。
【請求項５】
薬剤が、炭水化物化合物を形成する自己集合することが可能な正電荷の両親媒性ポリマーによりカプセル化される請求項１〜４の何れか一項に記載の組成物。
【請求項６】
１０ｎｍ〜２０μｍの平均粒径を有するポリマー凝集体の形態である請求項１〜５の何れか一項に記載の組成物。
【請求項７】
炭水化物化合物が、第４級アンモニウムパルミトイルグリコールキトサン（ＧＣＰＱ）である請求項１〜６の何れか一項に記載の組成物。
【請求項８】
パルミトイル化レベルｄが、０．０８〜０．２５の範囲内である請求項７に記載の組成物。
【請求項９】
四級化レベルｂが、０．０２〜０．２０の範囲内である請求項７又は８に記載の組成物。
【請求項１０】
薬剤が、０．００１〜１％ｗ／ｖの範囲内の濃度で存在する請求項１〜９の何れか一項に記載の組成物。
【請求項１１】
１種以上の医薬上許容される賦形剤、２％ｗ／ｖ未満の濃度のマクロライド免疫抑制剤及び１〜５０ｋＤａの範囲の分子量を有する両親媒性炭水化物化合物を含む眼投与に適した医薬組成物であって、
両親媒性炭水化物化合物が、組成物に対して１０％ｗ／ｖ未満の濃度で存在し、且つ一般式：
【化２】
2017533228.tif 000002
ａ＋ｂ＋ｃ＋ｄ＝１．０００であり、
ａは、０．００〜０．８４であり、
ｂは、０．０１〜０．４０であり、
ｃは、０．１０〜０．９４であり、
ｄは、０．０５〜０．５０であり；
Ｘは、疎水基であり；
Ｒ１、Ｒ２及びＲ３は、独立して、置換又は無置換のアルキル基から選ばれ；
Ｒ４、Ｒ５、Ｒ６及びＲ１０は、独立して、水素、置換又は無置換のアルキル基、置換又は無置換のエーテル基、又は置換又は無置換のアルケン基から選ばれ；
Ｒ７は、存在していても、或いは存在していなくてもよく、存在する場合、無置換又は置換されたアルキル基、無置換又は置換されたアミン基又は置換又は無置換のアミド基であり；
Ｒ８及びＲ９は、独立して、水素及び置換又は無置換のアルキル基、置換又は無置換のエーテル基、又は置換又は無置換のアルケン基のいずれかから選ばれる。］
で表されるもの又はその塩である、医薬組成物。
【請求項１２】
請求項２〜１０の特徴の何れかを有する請求項１１に記載の医薬組成物。
【手続補正書】
【提出日】平成30年8月31日(2018.8.31)
【手続補正１】
【補正対象書類名】特許請求の範囲
【補正対象項目名】全文
【補正方法】変更
【補正の内容】
【特許請求の範囲】
【請求項１】
人工脳脊髄液(CSF)又はCSF様組成物を含む、緑内障の予防及び/又は治療に使用する医薬組成物。
【請求項２】
クモ膜下腔内又は脳室内への注入のための請求項１に記載の医薬組成物。
【請求項３】
前記注入が経篩状板圧力差(TLCPD)を低減させる請求項２に記載の医薬組成物。
【請求項４】
前記TCLPDの低減が頭蓋内圧(ICP)の増大によりなされる請求項３に記載の医薬組成物。
【請求項５】
前記注入が11mmHg〜16mmHgの頭蓋内圧をもたらす請求項２に記載の医薬組成物。
【請求項６】
前記注入がCSF代謝回転を増大させる請求項２に記載の医薬組成物。
【請求項７】
前記注入が埋込可能ポンプによりなされる請求項２〜６のいずれか１項に記載の医薬組成物。
【請求項８】
前記埋込可能ポンプが
−  該埋込可能ポンプ；
−  人工CSF又はCSF様組成物を含む貯蔵容器；
−  前記貯蔵容器に連結された流入端部及び前記埋込可能ポンプに連結された流出端部を有する輸注カテーテル；及び
−  体腔と流体連通状態で配置されるように構成された流出端部及び前記埋込可能ポンプに連結された流入端部を有する流入カテーテル
を備え、前記埋込可能ポンプが、前記人工CSF又はCSF様組成物を、前記貯蔵容器から前記輸注カテーテル及び前記流入カテーテルを通じて前記体腔まで、脳内に該人工CSF又はCSF様組成物を補充するか、脳内の脳脊髄液の一部を流出させるか又はその両方を行うに十分な速度及び容量で選択的に移動させるように構成されており、前記補充、流出又はその両方により患者の頭蓋内圧及び/又はCSF代謝回転が増加する体腔内への流体注入用装置に含まれるものである、請求項７に記載の医薬組成物。
【請求項９】
前記装置が前記埋込可能ポンプの動作を制御するマイクロコントローラを更に備える、請求項８に記載の医薬組成物。
【請求項１０】
前記装置が脳脊髄液圧をモニターするために前記流入カテーテルと連通状態で配置された圧力センサを更に備え、前記マイクロコントローラが該圧力センサの出力に応じて前記埋込可能ポンプを駆動する、請求項９に記載の医薬組成物。
【請求項１１】
前記装置が体外コントローラ及び埋込可能誘電充電回路を更に備え、該コントローラが前記埋込可能誘電充電回路にエネルギーを伝送するように構成された誘導エネルギー伝送回路を備える、請求項８〜１０のいずれか１項に記載の医薬組成物。
【請求項１２】
前記マイクロコントローラが、前記体外コントローラから、ポンプ駆動間隔及び送出すべき人工CSF又はCSF様組成物の目標容量に関するプログラムされた指示を受信する、請求項１１に記載の医薬組成物。
【請求項１３】
前記貯蔵容器が患者内に埋め込まれるように構成されている請求項８〜１２のいずれか１項に記載の医薬組成物。
【請求項１４】
前記装置が頭蓋内圧(ICP)を増加させるように構成されている請求項８〜１３のいずれか１項に記載の医薬組成物。
【請求項１５】
前記人工CSF又はCSF様組成物が１又は２以上の治療薬を含む請求項１〜１４のいずれか１項に記載の医薬組成物。
【手続補正書】
【提出日】平成30年10月26日(2018.10.26)
【手続補正１】
【補正対象書類名】特許請求の範囲
【補正対象項目名】全文
【補正方法】変更
【補正の内容】
【特許請求の範囲】
【請求項１】
２０〜９０ミクロンの体積平均直径およびカプセル（コア＋シェル）の総重量の５重量％〜４０重量％のカプセルシェル重量を有する１種以上のポリウレアカプセルを含み、ここでポリウレアカプセルの公称破断応力が、約０．１〜２ＭＰａ、より特に０．２ＭＰａ〜１．５ＭＰａ、さらにより特に０．４ＭＰａ〜１ＭＰａの範囲である、カプセル化香料組成物。 
【請求項２】
シェル重量（カプセル（コア＋シェル）の総重量のパーセンテージとして表される）のカプセル体積平均直径（ミクロンで表される）に対する比が、約０．７ミクロン−１以下である、請求項１に記載のカプセル化香料組成物。 
【請求項３】
カプセル化香料が、１５，０００ｐｐｍ以下の水への溶解度を有する香料成分を少なくとも６０重量％含む、請求項１または２に記載のカプセル化香料組成物。 
【請求項４】
カプセルが、カプセル化された溶媒を含有しない、請求項１〜３のいずれか一項に記載のカプセル化香料組成物。 
【請求項５】
シリカの流動助剤を含む粉末の形態であり、ここでシリカが１〜８ミクロンの粒径を有する、請求項１〜４のいずれか一項に記載のカプセル化香料組成物。 
【請求項６】
請求項５に記載のカプセル化香料組成物を形成する方法であって、スラリーの形態のカプセル化香料組成物中にシリカを分散させるステップ、およびスラリーを脱水するステップを含む、前記方法。 
【請求項７】
スラリーが、噴霧乾燥により脱水される、請求項６に記載の方法。 
【請求項８】
請求項１〜５のいずれか一項に定義されるカプセル化香料組成物を含む、リーブオンパーソナルケア製品。 
【請求項９】
消臭製品の形態である、請求項８に記載のリーブオン製品。 
【請求項１０】
発汗抑制剤の形態である、請求項８に記載のリーブオン製品。
【手続補正書】
【提出日】平成30年10月22日(2018.10.22)
【手続補正１】
【補正対象書類名】特許請求の範囲
【補正対象項目名】全文
【補正方法】変更
【補正の内容】
【特許請求の範囲】
【請求項１】
通信方法であって、
不連続送信(DTX)通信パターンに従って、第2の無線アクセス技術(RAT)と共有される通信媒体上において送信のアクティブ期間と非アクティブ期間との間で第1のRATの動作を循環させるステップと、
第1のRAT動作を示す識別子を選択するステップと、
前記第1のRATの前記アクティブ期間のうちの1つにわたって前記通信媒体を予約するために、前記通信媒体を介して、前記第2のRATに関連付けられるチャネル予約メッセージを送信するステップであって、前記チャネル予約メッセージは前記識別子を含む、ステップと
を含む方法。
【請求項２】
前記チャネル予約メッセージは、前記第2のRATによって定義された自身への送信可(CTS2S)メッセージ、前記第2のRATによって定義された送信要求(RTS)メッセージ、前記第2のRATによって定義された送信可(CTS)メッセージ、前記第2のRATによって定義された物理レイヤコンバージェンスプロトコル(PLCP)ヘッダ、またはそれらの組合せのうちの少なくとも1つを含む、請求項1に記載の方法。
【請求項３】
前記識別子は、第1のRAT動作を指示するために選択された基本サービスセット識別子(BSSID)、第1のRAT動作を指示するために選択された受信機アドレス(RA)、第1のRAT動作を指示するために選択された持続時間の値の範囲、第1のRAT動作を指示するために選択された持続時間しきい値、第1のRAT動作を指示するために選択された物理(PHY)ヘッダスクランブラシード、第1のRAT動作を指示するために選択されたPHYヘッダユーザ識別子、またはそれらの組合せを含む、請求項1に記載の方法。
【請求項４】
前記識別子は少なくとも2つのアクセスポイントの間で調整される、請求項1に記載の方法。
【請求項５】
バックホールシグナリングから前記識別子を決定するステップ、
オペレータ識別子から前記識別子を決定するステップ、または
それらの組合せをさらに含む、請求項4に記載の方法。
【請求項６】
第2のチャネル予約メッセージを受信するステップと、
前記識別子を含むものとして前記第2のチャネル予約メッセージを識別するステップと、
前記識別するステップに基づいて、(i)1つもしくは複数の媒体アクセス制御計算、(ii)前記第2のRATに関連付けられる1つもしくは複数のネットワークアロケーションベクトル(NAV)設定、または(iii)それらの組合せから、前記第2のチャネル予約メッセージを除外するステップとをさらに含む、請求項1に記載の方法。
【請求項７】
前記DTX通信パターンのターゲットアクティブ期間に先立って第1のRATシグナリングおよび第2のRATシグナリングのために前記通信媒体を監視するステップと、
前記監視するステップに基づいて、前記DTX通信パターンの先行する非アクティブ期間に続く流動的時間に前記DTX通信パターンの前記ターゲットアクティブ期間を開始するステップとをさらに含む、請求項1に記載の方法。
【請求項８】
前記監視するステップは、前記通信媒体上におけるシグナリングエネルギーを測定するステップを含み、
前記開始するステップは、前記シグナリングエネルギーがしきい値を超えたことに応答して、前記先行する非アクティブ期間に対して前記ターゲットアクティブ期間を遅延させるステップを含む、請求項7に記載の方法。
【請求項９】
前記監視するステップは、前記第1のRATシグナリング、前記第2のRATシグナリング、またはそれら両方を復号するステップを含み、
前記開始するステップは、前記復号されたシグナリングがチャネル予約を指示することに応答して、前記先行する非アクティブ期間に対して前記ターゲットアクティブ期間を遅延させるステップを含む、請求項7に記載の方法。
【請求項１０】
前記送信するステップは、トリガ条件に基づいて前記ターゲットアクティブ期間にわたって前記通信媒体を予約するために、前記通信媒体を介して、前記第2のRATに関連付けられる前記チャネル予約メッセージを送信するステップを含む、請求項7に記載の方法。
【請求項１１】
前記トリガ条件は、第1のRATシグナリングの低下、第2のRATシグナリングの低下、1つまたは複数の隠れた第2のRATノードの検出、またはそれらの組合せを含む、請求項10に記載の方法。
【請求項１２】
前記通信媒体は、無認可無線周波数帯域上の1つまたは複数の時間、周波数、または空間リソースを含む、請求項1に記載の方法。
【請求項１３】
前記通信媒体は、無認可無線周波数帯域上の1つまたは複数の時間、周波数、または空間リソースを含み、
前記第1のRATはロングタームエボリューション(LTE)技術を含み、
前記第2のRATはWi-Fi技術を含む、請求項1に記載の方法。
【請求項１４】
通信装置であって、
不連続送信(DTX)通信パターンに従って、第2の無線アクセス技術(RAT)と共有される通信媒体上において送信のアクティブ期間と非アクティブ期間との間で第1のRATの動作を循環させるための手段と、
第1のRAT動作を示す識別子を選択するための手段と、
前記第1のRATの前記アクティブ期間のうちの1つにわたって前記通信媒体を予約するために、前記通信媒体を介して、前記第2のRATに関連付けられるチャネル予約メッセージを送信するための手段であって、前記チャネル予約メッセージは前記識別子を含む、手段と
を備える装置。
【請求項１５】
コンピュータにより実行可能な命令を記録したコンピュータ可読記録媒体であって、前記命令が、コンピュータによる実行時に、請求項1から13のいずれか一項に記載の方法の実行を引き起こす、コンピュータ可読記録媒体。
【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ミリ波通信ネットワークの同期信号の狭帯域信号成分および広帯域信号成分を決定するステップと、
前記ミリ波通信ネットワークに関連付けられた1つまたは複数の特性を識別するステップと、
前記識別された特性に少なくとも部分的に基づいて、前記狭帯域信号成分および前記広帯域信号成分のうちの少なくとも1つのパラメータを選択的に調整するステップと
を含み、
前記少なくとも1つのパラメータを調整するステップが、
前記狭帯域信号成分と前記広帯域信号成分との間の送信電力分割を調整するステップ
を含む、方法。
【請求項２】
前記送信電力分割が、前記狭帯域信号成分の第1の送信電力と前記広帯域信号成分の第2の送信電力の比を含む、請求項1に記載の方法。
【請求項３】
前記狭帯域信号成分および前記広帯域信号成分を送信するソースのカバレージエリアのエッジにある1つまたは複数のユーザ機器(UE)による前記狭帯域信号成分の検出の低減を識別するステップと、
前記識別された低減に少なくとも部分的に基づいて、前記狭帯域信号成分の第1の送信電力を増加させるステップと、
前記識別された低減に少なくとも部分的に基づいて、前記広帯域信号成分の第2の送信電力を減少させるステップと
をさらに含む、請求項1に記載の方法。
【請求項４】
前記狭帯域信号成分および前記広帯域信号成分を送信するソースのカバレージエリア内にある1つまたは複数のユーザ機器(UE)間のタイミング同期の事前定義されたレベルを示す情報を受信するステップと、
前記タイミング同期のレベルに少なくとも部分的に基づいて、前記狭帯域信号成分および前記広帯域信号成分のうちの少なくとも1つの前記パラメータを選択的に調整するステップと
をさらに含む、請求項1に記載の方法。
【請求項５】
前記1つまたは複数の特性が、前記狭帯域信号成分および前記広帯域信号成分を送信するソースのカバレージエリア内にある1つまたは複数のユーザ機器(UE)間のタイミング同期のレベル、誤った同期信号を検出する前記1つまたは複数のUEに関連付けられたフォールスアラーム率、前記ソースの前記カバレージエリアに入るUEの分布、あるいはそれらの組合せのうちの1つまたは複数を含む、請求項1に記載の方法。
【請求項６】
前記狭帯域信号成分がビーコン信号を含み、前記広帯域信号成分が広帯域信号を含む、請求項1に記載の方法。
【請求項７】
前記広帯域信号がZadoff-Chuシーケンスを含む、請求項6に記載の方法。
【請求項８】
前記同期信号の前記狭帯域信号成分および前記広帯域信号成分が、1つまたは複数のビームフォーミングされた信号を介して指向的に送信される、請求項1に記載の方法。
【請求項９】
ワイヤレス通信のための装置であって、
ミリ波通信ネットワークの同期信号の狭帯域信号成分および広帯域信号成分を決定するための手段と、
前記ミリ波通信ネットワークに関連付けられた1つまたは複数の特性を識別するための手段と、
前記識別された特性に少なくとも部分的に基づいて、前記狭帯域信号成分および前記広帯域信号成分のうちの少なくとも1つのパラメータを選択的に調整するための手段と
を備え、
前記少なくとも1つのパラメータを調整するための前記手段が、
前記狭帯域信号成分と前記広帯域信号成分との間の送信電力分割を調整するための手段
を備える、装置。
【請求項１０】
前記送信電力分割が、前記狭帯域信号成分の第1の送信電力と前記広帯域信号成分の第2の送信電力の比を含む、請求項9に記載の装置。
【請求項１１】
前記狭帯域信号成分および前記広帯域信号成分を送信するソースのカバレージエリアのエッジにある1つまたは複数のユーザ機器(UE)による前記狭帯域信号成分の検出の低減を識別するための手段と、
前記識別された低減に少なくとも部分的に基づいて、前記狭帯域信号成分の第1の送信電力を増加させるための手段と、
前記識別された低減に少なくとも部分的に基づいて、前記広帯域信号成分の第2の送信電力を減少させるための手段と
をさらに備える、請求項9に記載の装置。
【請求項１２】
前記狭帯域信号成分および前記広帯域信号成分を送信するソースのカバレージエリア内にある1つまたは複数のユーザ機器(UE)間のタイミング同期の事前定義されたレベルを示す情報を受信するための手段と、
前記タイミング同期のレベルに少なくとも部分的に基づいて、前記狭帯域信号成分および前記広帯域信号成分のうちの少なくとも1つの前記パラメータを選択的に調整するための手段と
をさらに備える、請求項9に記載の装置。
【請求項１３】
実行時に、コンピュータに請求項１〜８のいずれか一項に記載の方法を実行させる命令を有するコンピュータプログラム。
【手続補正書】
【提出日】平成30年10月22日(2018.10.22)
【手続補正１】
【補正対象書類名】特許請求の範囲
【補正対象項目名】全文
【補正方法】変更
【補正の内容】
【特許請求の範囲】
【請求項１】
マルチテナントクラスタ環境においてパーティション認識ルーティングをサポートするための方法であって、
前記マルチテナントクラスタ環境内の１つ以上のテナントをサポートするステップと、
前記１つ以上のテナントの各々を複数のパーティションのうちの１つのパーティションに関連付けるステップと、
前記複数のパーティションの各々を複数のノードのうちの１つ以上のノードに関連付けるステップとを含み、前記複数のノードの各々は複数のスイッチのうちのリーフスイッチに関連付けられ、前記複数のスイッチは複数のリーフスイッチと他のレベルの複数のスイッチとを含み、前記方法はさらに、
１つ以上のリニアフォワーディングテーブルを生成するステップを含み、前記１つ以上のリニアフォワーディングテーブルは前記複数のパーティション間に分離を提供し、
前記複数のノードの各々はパーティショニング順序に関連付けられる、方法。
【請求項２】
１つ以上のリニアフォワーディングテーブルを生成するステップは、
前記複数のリーフスイッチの各々について、前記複数のノードを、各ノードに関連付けられた前記パーティショニング順序に従って順序付けて、ノードの順序をもたらすステップと、
ノードの前記順序で、複数のエンドノードをルーティングするステップとを含み、
前記ルーティングするステップは、各ノードについて、少なくとも１つの下りポートと少なくとも１つの上りポートとを選択するステップを含み、
前記選択するステップは、負荷基準とスイッチのパーティションマーキングとからなる群から選択される少なくとも１つの要因に基づく、請求項１に記載の方法。
【請求項３】
前記複数のノードを、各ノードに関連付けられた前記パーティショニング順序に従って順序付けるステップの前に、単一リーフスイッチパーティションについてフィルタリングするステップをさらに含む、請求項２に記載の方法。
【請求項４】
前記複数のパーティション間に分離を提供するステップは、異なるパーティションに関連付けられたノード間の通信が、前記複数のスイッチのうちのスイッチ間のルートを共有しないことを保証するステップを含む、請求項１〜３のいずれか１項に記載の方法。
【請求項５】
前記複数のスイッチおよび前記複数のノードがツリートポロジーで配置されるようにするステップをさらに含む、請求項１〜４のいずれか１項に記載の方法。
【請求項６】
前記ツリートポロジーは、ファットツリートポロジーである、請求項５に記載の方法。
【請求項７】
前記マルチテナントクラスタ環境は、インフィニバンドネットワークを含む、請求項１〜６のいずれか１項に記載の方法。
【請求項８】
マルチテナントクラスタ環境においてパーティション認識ルーティングをサポートするシステムであって、前記システムは、
１つ以上のマイクロプロセッサと、
前記１つ以上のマイクロプロセッサ上で走るプロセッサとを含み、
前記プロセッサは、複数のステップを実行するために動作し、前記複数のステップは、
前記マルチテナントクラスタ環境内の１つ以上のテナントをサポートするステップと、
前記１つ以上のテナントの各々を複数のパーティションのうちの１つのパーティションに関連付けるステップと、
前記複数のパーティションの各々を複数のノードのうちの１つ以上のノードに関連付けるステップとを含み、前記複数のノードの各々は複数のスイッチのうちのリーフスイッチに関連付けられ、前記複数のスイッチは複数のリーフスイッチと他のレベルの複数のスイッチとを含み、前記複数のステップはさらに、
１つ以上のリニアフォワーディングテーブルを生成するステップを含み、前記１つ以上のリニアフォワーディングテーブルは前記複数のパーティション間に分離を提供し、
前記複数のノードの各々はパーティショニング順序に関連付けられる、システム。
【請求項９】
１つ以上のリニアフォワーディングテーブルを生成するステップは、
前記複数のリーフスイッチの各々について、前記複数のノードを、各ノードに関連付けられた前記パーティショニング順序に従って順序付けて、ノードの順序をもたらすステップと、
ノードの前記順序で、複数のエンドノードをルーティングするステップとを含み、
前記ルーティングするステップは、各ノードについて、少なくとも１つの下りポートと少なくとも１つの上りポートとを選択するステップを含み、
前記選択するステップは、負荷基準とスイッチのパーティションマーキングとからなる群から選択される少なくとも１つの要因に基づく、請求項８に記載のシステム。
【請求項１０】
前記複数のステップは、前記複数のノードを、各ノードに関連付けられた前記パーティショニング順序に従って順序付けるステップの前に、単一リーフスイッチパーティションについてフィルタリングするステップをさらに含む、請求項９に記載のシステム。
【請求項１１】
前記複数のパーティション間に分離を提供するステップは、異なるパーティションに関連付けられたノード間の通信が、前記複数のスイッチのうちのスイッチ間のルートを共有しないことを保証するステップを含む、請求項８〜１０のいずれか１項に記載のシステム。
【請求項１２】
前記複数のスイッチおよび前記複数のノードがツリートポロジーで配置されるようになっている、請求項８〜１１のいずれか１項に記載のシステム。
【請求項１３】
前記ツリートポロジーは、ファットツリートポロジーである、請求項１２に記載のシステム。
【請求項１４】
前記マルチテナントクラスタ環境は、インフィニバンドネットワークを含む、請求項８〜１３のいずれか１項に記載のシステム。
【請求項１５】
請求項１〜７のいずれかに記載の方法をコンピュータに実行させる、プログラム。
【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
加入者のデータセッションに対して課金する方法であって、
前記データセッションを開始する要求に応答して、前記データセッションに付与される第１付与済みサービス単位のデータを提供するステップと、
前記データセッション中に、前記加入者に対応する課金条件の変更を受信するステップと、
前記変更に応答して、前記加入者に再認証メッセージを送信するステップと、
前記再認証メッセージに応答して、前記加入者から、第１過去更新メッセージ以降に前記データセッションに使用された第１使用済みサービス単位を含む第１更新メッセージを受信するステップと、
前記第１更新メッセージに応答して、前記課金条件の変更および前記第１使用済みサービス単位に基づいて、前記データセッションに付与される第２付与済みサービス単位のデータを提供するステップとを含む、方法。
【請求項２】
前記課金条件の変更は、前記加入者のデータ残高の満杯補充を含む、請求項１に記載の方法。
【請求項３】
前記課金条件の変更は、追加のデータ単位の購入を含む、請求項１に記載の方法。
【請求項４】
前記データセッション中に、前記加入者から、第２更新メッセージを受信するステップをさらに含み、
前記第２更新メッセージは、前記データセッション中に予め設定された時間間隔で生成され、第２過去更新メッセージ以降に使用された第２使用済みサービス単位を含む、請求項１から３のいずれか１項に記載の方法。
【請求項５】
前記データセッション中に、前記加入者から、第２更新メッセージを受信するステップをさらに含み、
前記第２更新メッセージは、前記第１付与済みサービス単位のデータ消費量に応答して生成され、第２過去更新メッセージ以降に使用された第２使用済みサービス単位を含む、請求項１から３のいずれか１項に記載の方法。
【請求項６】
前記データセッションを開始する前記要求に応答して、前記データセッションに付与される第３付与済みサービス単位のデータを提供するステップをさらに含み、
前記第１付与済みサービス単位のデータは、前記データセッション中の料金変更時間前のものに対応しており、
前記第３付与済みサービス単位のデータは、前記データセッション中の料金変更時間後のものに対応する、請求項１から５のいずれか１項に記載の方法。
【請求項７】
終了要求を受信するステップをさらに含み、
前記終了要求は、第３過去更新メッセージ以降に使用された第３使用済みサービス単位を含む、請求項１から６のいずれか１項に記載の方法。
【請求項８】
プロセッサによって実行されると、プロセッサに請求項１から７のいずれか１項に記載の方法を実行させる命令を含むコンピュータ読取可能プログラム。
【請求項９】
通信ネットワークを介して、ユーザ機器（ＵＥ）と、請求および収益管理システム（ＢＲＭ）とに連結されたオンライン課金システム（ＯＣＳ）であって、
前記ＯＣＳは、前記ネットワークを介してネットワークメッセージを生成および受信するプロセッサを含み、
前記ネットワークメッセージの生成および受信は、
前記ＵＥからのデータセッションを開始する要求に応答して、前記データセッションに付与される第１付与済みサービス単位のデータを前記ＵＥに提供するステップと、
前記データセッション中に、前記ＵＥに対する課金条件の変更を前記ＢＲＭから受信するステップと、
前記変更に応答して、前記ＵＥに再認証メッセージを送信するステップと、
前記再認証メッセージに応答して、前記ＵＥから、第１過去更新メッセージ以降に前記データセッションに使用された第１使用済みサービス単位を含む第１更新メッセージを受信するステップと、
前記第１更新メッセージに応答して、前記課金条件の変更および前記第１使用済みサービス単位に基づいて、前記データセッションに付与される第２付与済みサービス単位のデータを前記ＵＥに提供するステップとを含む、ＯＣＳ。
【請求項１０】
前記課金条件の変更は、前記ＵＥのデータ残高の満杯補充を含む、請求項９に記載のＯＣＳ。
【請求項１１】
前記課金条件の変更は、追加のデータ単位の購入を含む、請求項９に記載のＯＣＳ。
【請求項１２】
前記データセッション中に、前記ＵＥから、第２更新メッセージを受信することをさらに含み、
前記第２更新メッセージは、前記データセッション中に予め設定された時間間隔で生成され、第２過去更新メッセージ以降に使用された第２使用済みサービス単位を含む、請求項９から１１のいずれか１項に記載のＯＣＳ。
【請求項１３】
前記データセッション中に、前記ＵＥから、第２更新メッセージを受信することをさらに含み、
前記第２更新メッセージは、前記第１付与済みサービス単位のデータ消費量に応答して生成され、第２過去更新メッセージ以降に使用された第２使用済みサービス単位を含む、請求項９から１１のいずれか１項に記載のＯＣＳ。
【請求項１４】
前記データセッションを開始する前記要求に応答して、前記データセッションに付与される第３付与済みサービス単位を前記ＵＥに提供するステップをさらに含む、
前記第１付与済みサービス単位のデータは、前記データセッション中の料金変更時間前のものに対応しており、
前記第３付与済みサービス単位のデータは、前記データセッション中の料金変更時間後のものに対応する、請求項９から１３のいずれか１項に記載のＯＣＳ。
【手続補正書】
【提出日】平成30年8月21日(2018.8.21)
【手続補正１】
【補正対象書類名】特許請求の範囲
【補正対象項目名】全文
【補正方法】変更
【補正の内容】
【特許請求の範囲】
【請求項１】
２つのフィルターユニットを有する高周波（ＨＦ）モジュールであって、前記２つのフィルターユニット（ＦＥ）の各々は、
入力と、出力とを有する第１ＨＦフィルターと、
２つのスイッチ状態を取り得る第１スイッチと、を有し、
前記２つのフィルターユニットにおいて、前記第１スイッチは、前記第１ＨＦフィルターの前記入力または前記出力に接続され、
前記２つのフィルターユニットは、並列に接続され、
前記２つのフィルターユニットのうちの第１フィルターユニットは、２つのスイッチ状態を取り得る第２スイッチを有し、
前記第１フィルターユニットの前記第１スイッチは、前記第１フィルターユニットの前記第１ＨＦフィルターの前記入力に接続され、
前記第２スイッチは、前記第１フィルターユニットの前記第１ＨＦフィルターの前記出力に接続される、
ＨＦモジュール。
【請求項２】
前記第１フィルターユニットは、入力と、出力とを有する第２フィルターを有し、
前記第２フィルターは、前記第１フィルターユニットの前記第１フィルターに並列に接続され、
前記第１フィルターユニットは、デュプレクサを実現する、
請求項１に記載のＨＦモジュール。
【請求項３】
前記第１フィルターユニットは、２つのスイッチ状態を取り得る第３スイッチを有し、
前記第３スイッチは、前記第２フィルターの前記入力に接続される、
請求項２に記載のＨＦモジュール。
【請求項４】
前記第１フィルターユニットの前記第１スイッチは、３つのコネクタを有し、
前記第１フィルターユニットの前記第１スイッチは、前記フィルターユニットの前記第１ＨＦフィルターに、前記３つのコネクタのうちの第１コネクタにより接続される、
請求項１〜３のいずれか一項に記載のＨＦモジュール。
【請求項５】
前記第１フィルターユニットの前記第１スイッチは、終端インピーダンスに、前記３つのコネクタのうちの第２コネクタにより接続される、請求項４に記載のＨＦモジュール。
【請求項６】
前記第１フィルターユニットの前記第１スイッチは、信号バスに、前記３つのコネクタのうちの第３コネクタと接続される、請求項４又は５のいずれか一項に記載のＨＦモジュール。
【請求項７】
前記第１フィルターユニットは、前記第１フィルターユニットの前記第１および第２スイッチの前記スイッチ状態を制御するように構成された制御回路を有する、請求項１〜６のいずれか一項に記載のＨＦモジュール。
【請求項８】
前記第１フィルターユニットの前記第１スイッチの前記第３コネクタは、送信アンプに接続される、請求項６に記載のＨＦモジュール。
【請求項９】
前記第２スイッチの前記第３コネクタは、アンテナコネクタに接続される、請求項６に記載のＨＦモジュール。
【請求項１０】
前記第３スイッチの前記第３コネクタは、受信アンプに接続される、請求項６に記載のＨＦモジュール。
【請求項１１】
前記２つのフィルターユニットは、同一の回路構造を有し、
前記２つのフィルターユニットの前記第１ＨＦフィルターは、バンドパスフィルタであり、
前記バンドパスフィルタは、異なる帯域幅、異なる中心周波数、又は異なる帯域幅と異なる中心周波数との両方を有する、請求項１〜１０のいずれか一項に記載のＨＦモジュール。
【請求項１２】
請求項１〜１１のいずれか一項に記載のＨＦモジュールの、携帯無線装置又は携帯無線ユニットでの使用。
【手続補正書】
【提出日】平成30年11月1日(2018.11.1)
【手続補正１】
【補正対象書類名】特許請求の範囲
【補正対象項目名】全文
【補正方法】変更
【補正の内容】
【特許請求の範囲】
【請求項１】
誘導電力伝達システムの誘導電力受信機であって、
送信機により送信された電力を受信する受信コイルを含む電力ピックアップステージと、
前記電力ピックアップステージに接続される負荷ステージと、
前記電力ピックアップステージに直列電圧を提供する様に構成された電力調整ステージであって、前記直列電圧は、少なくとも第１振幅と前記第１振幅とは異なる第２振幅との間で切り替わる、前記電力調整ステージと、
前記負荷ステージに届けられる前記電力を調整するため、前記電力調整ステージを制御する様に構成されたコントローラと、
を備えている、誘導電力受信機。
【請求項２】
請求項１に記載の誘導電力受信機であって、
前記負荷ステージは、前記電力調整ステージ及び前記電力ピックアップステージの組み合わせからの電圧を負荷へのＤＣ電圧に変換する様に構成された電力変換ステージを備えている、誘導電力受信機。
【請求項３】
請求項２に記載の誘導電力受信機であって、
前記電力変換ステージは、ハーフブリッジ整流器又はフルブリッジ整流器であり、又は前記電力調整ステージは、キャパシタと並列なハーフブリッジコンバータである、誘導電力受信機。
【請求項４】
請求項３に記載の誘導電力受信機であって、
前記コントローラは、前記電力変換ステージのスイッチングデバイスの導通タイミングを動的に制御する様に構成されている、誘導電力受信機。
【請求項５】
請求項２に記載の誘導電力受信機であって、
前記ＤＣ電圧の振幅は、前記第１振幅及び前記第２振幅の両方と異なり、
前記ＤＣ電圧の振幅と前記第１振幅には少なくとも２Ｖの差があり、前記ＤＣ電圧の振幅と前記第２振幅には少なくとも２Ｖの差があり、又は
前記第１振幅及び前記第２振幅の少なくとも１つは、２Ｖ未満である、誘導電力受信機。
【請求項６】
請求項３に記載の誘導電力受信機であって、
前記ハーフブリッジコンバータは、前記受信コイルに誘起されるＡＣ電力信号と実質的に同期して切り替えられる、誘導電力受信機。
【請求項７】
請求項３に記載の誘導電力受信機であって、
前記直列電圧は、前記電力ピックアップステージからの電圧又は電流に基づき制御される、誘導電力受信機。
【請求項８】
請求項４に記載の誘導電力受信機であって、
前記電力ピックアップステージは、共鳴同調キャパシタをさらに有し、
前記コントローラは、
前記共鳴同調キャパシタの電圧に基づき前記直列電圧を制御し、
前記共鳴同調キャパシタの電圧を２つ以上の閾値と比較し、前記比較に基づき前記スイッチングデバイスの前記導通タイミングを決定し、
前記直列電圧を変化させるために、前記閾値が調整され、前記負荷に届けられる前記電力を変化させて、又は
位相基準信号に基づき届けられる前記電力を調整する、ように構成される、誘導電力受信機。
【請求項９】
請求項８に記載の誘導電力受信機であって、
前記位相基準信号と制御信号との時間遅延が、前記コントローラによって選択され、
前記時間遅延の増大は、前記負荷ステージに届けられる前記電力を減少させる結果となり、又は
前記位相基準は、前記負荷ステージに生じる電圧の位相を測定するように構成される、誘導電力受信機。
【請求項１０】
請求項１に記載の誘導電力受信機であって、
前記電力ピックアップステージは、キャパシタとスイッチとをさらに有し、
前記電力ピックアップステージの共鳴周波数は、前記スイッチの状態に依存する、誘導電力受信機。
【請求項１１】
請求項１０に記載の誘導電力受信機であって
前記送信機により送信される前記電力は第１周波数で送信され、
前記スイッチがオフであると、前記電力ピックアップステージは、第２周波数で共鳴し、
前記第１周波数は、前記第２周波数とは異なる、誘導電力受信機。
【請求項１２】
請求項１１に記載の誘導電力受信機であって、
前記第２周波数は、前記第１周波数より低い、又は前記第１周波数より少なくとも約７パーセントだけ低い、又は前記第１周波数より少なくとも約２５パーセントだけ低い、誘導電力受信機。
【請求項１３】
請求項１に記載の誘導電力受信機であって、
前記直列電圧は、前記送信機の動作周波数と同じ基本周波数で、周期的に変化する、誘導電力受信機。
【請求項１４】
請求項１に記載の誘導電力受信機であって、誘導電力伝達を使用する充電マットから充電するために、セルラ電話に組み込まれる様に構成される、誘導電力受信機。
【請求項１５】
誘導電力伝達システムの誘導電力受信機を制御する方法であって、
前記誘導電力受信機のピックアップコイルで直列電圧を生成し、負荷ステージに伝送される電力を調整することと、
前記ピックアップコイルで受信された送信機からのＡＣ電圧を参照して前記電圧の位相を制御することと、を含む、方法。